(57)【要約】【課題】雪や風に耐えられ、低コストで実施できる遮熱カバーの取付構造を提供する。【解決手段】波形屋根（折板屋根３０）の複数の山部３１に架設、固定された取付具２０を介して遮熱カバー１０が取り付けされた、遮熱カバーの取付構造であって、取付具２０は、波形屋根（折板屋根３０）の谷部３２の上方に嵌入され、下方に空間を有した状態に張設される遮熱カバー固定部２２を有しており、遮熱カバー１０は、谷部３２の形成方向に沿って配設可能とした板材で構成され、取付具２０に支持、固定されている。【選択図】図１
2014084646.tif 000002
【特許請求の範囲】
【請求項１】
波形屋根の複数の山部に架設、固定された取付具を介して遮熱カバーが取り付けられた、遮熱カバーの取付構造であって、
前記取付具は、前記波形屋根の谷部の上方に嵌入され、下方に空間を有した状態に張設される遮熱カバー固定部を有しており、
前記遮熱カバーは、前記谷部の形成方向に沿って配設可能とした板材で構成され、前記取付具に支持、固定されていることを特徴とする、遮熱カバーの取付構造。
【請求項２】
請求項１において、
前記遮熱カバーの上下面の少なくともいずれか一方に、長手方向に沿って凸条が形成されている、遮熱カバーの取付構造。
【請求項３】
請求項１または２において、
前記遮熱カバーの上面は、幅方向の端部に向けて降下傾斜している、遮熱カバーの取付構造。
【請求項４】
請求項１〜３のいずれか１項において、
前記遮熱カバーは、金属製の芯板材に合成樹脂材を被覆してなる、遮熱カバーの取付構造。
【発明の詳細な説明】
【技術分野】
【０００１】
本発明は、波形屋根の上に取り付ける遮熱カバーの取付構造に関する。
【背景技術】
【０００２】
従来には、遮熱シートを折板屋根（角波形屋根）、丸波形屋根等の波形屋根の上面に取付具を介して取り付ける技術が種々提案されている（たとえば、特許文献１、２参照）。
【０００３】
この種の遮熱シートは、柔軟性、伸縮性を有し、たとえば太陽熱を反射して遮熱する合成樹脂シート等のシート材で構成されており、屋根上に溝形フレーム等の取付具を配設することにより、それらを介して取り付けできるようになっている。
【先行技術文献】
【特許文献】
【０００４】
【特許文献１】特開２０１１−２４６９２８号公報
【特許文献２】特開２０１２−９２５５７号公報
【発明の概要】
【発明が解決しようとする課題】
【０００５】
しかしながら、遮熱シートは柔軟であるがゆえ積雪の重みでシート材が破れたり、積雪時の遮熱シートの撓みにより取付具が傾いたり外れたりすることがある。また、強風によっても、遮熱シートが揺れて取付具が傾いたり外れたりすることがある。
【０００６】
したがって、屋根の遮熱対策として遮熱シートを用いた場合、降雪地域や強風地域では、時期によっては遮熱シートを取り外しておかなければならず、その作業がきわめて面倒であった。
【０００７】
また、雪や風に常時耐えられる遮熱工法として、２枚の折板屋根間に断熱材を挟み込むインシュレーション工法を採用することも想定できるが、コストが高くなるため容易に実施することはできない。
【０００８】
本発明は、このような事情を考慮して提案されたもので、その目的は、雪や風に耐えられ、低コストで実施できる遮熱カバーの取付構造を提供することにある。
【課題を解決するための手段】
【０００９】
上記目的を達成するために、請求項１に記載の遮熱カバーの取付構造は、波形屋根の複数の山部に架設、固定された取付具を介して遮熱カバーが取り付けられた、遮熱カバーの取付構造であって、取付具は、波形屋根の谷部に嵌入され、下方に空間を有した状態に張設される遮熱カバー固定部を有しており、遮熱カバーは、谷部の形成方向に沿って配設可能とした板材で構成され、取付具に支持、固定されていることを特徴とする。
【００１０】
請求項２に記載の遮熱カバーの取付構造は、遮熱カバーの上下面の少なくともいずれか一方に、長手方向に沿って凸条が形成されている。
【００１１】
請求項３に記載の遮熱カバーの取付構造は、遮熱カバーの上面は、幅方向の端部に向けて降下傾斜している。
【００１２】
請求項４に記載の遮熱カバーの取付構造は、遮熱カバーは、金属製の芯板材に合成樹脂材を被覆してなる。
【発明の効果】
【００１３】
請求項１に記載の遮熱カバーの取付構造によれば、上述の構成となっているため、雪や風に強い遮熱構造の屋根の施工を低コストで実施することができる。この構成によれば、谷部のほとんどを遮熱カバーで覆うことができるため、十分な遮熱効果を得られる。また、谷部には遮熱カバーと、その下方の谷底との間の空間を空気層（断熱層）として形成するため、さらなる遮熱効果を期待できる。
【００１４】
請求項２に記載の遮熱カバーの取付構造によれば、遮熱カバーの上下面の少なくともいずれか一方に、長手方向に沿って凸条が形成されているため、リブ効果により遮熱カバーを強固にできる。
【００１５】
請求項３に記載の遮熱カバーの取付構造によれば、遮熱カバーの上面が幅方向の端部に向けて降下傾斜しているため、遮熱カバーの上に水が溜まることなく下方に落水させることができ、スムーズに排水することができる。
【００１６】
請求項４に記載の遮熱カバーの取付構造によれば、遮熱カバーが金属製の芯板材に合成樹脂材を被覆してなるため、錆の発生を防止でき、遮熱カバーの劣化を遅らせることができる。また、金属製の芯板材が合成樹脂材の熱伸縮を抑えることもできる。また、この構成によれば、遮熱カバーを押出成形などにより種々の形状に形成できる。たとえば、凸条を簡易に形成することができる。
【図面の簡単な説明】
【００１７】
【図１】本発明の実施形態に係る遮熱カバーの取付構造の一例を示す斜視図である。
【図２】遮熱カバーを固定するための取付具の屋根上への取付態様を示す縦断面図である。
【図３】（ａ）は遮熱カバーの取付構造を示す一部分解縦断面図、（ｂ）は遮熱カバーの拡大縦断面図である。
【発明を実施するための形態】
【００１８】
以下に、本発明の実施の形態について、添付図面にもとづいて説明する。なお以下には、本発明の遮熱カバーの取付対象である波形屋根として、折板屋根を例示しているが、丸波形屋根（略半円形の山部と谷部とが交互に連続する屋根）にも適用できる。また、屋根の素材としては、金属や合成樹脂、セメント系等のものが適用できる。
【００１９】
本実施形態における遮熱カバー１０の取付対象は、図１等に示した折板屋根３０等の波形屋根である。本実施形態に使用される折板屋根３０は、山部３１と谷部３２とが交互に連続する屋根である。このような折板屋根３０は、複数の折板屋根材を側端縁の山部３１の頂部３１ａで重合し、その頂部３１ａで連結用のボルト体３５とナット体３６の螺着によって連結した重ね式構造により構成できる。なお、本実施形態の各図では、折板屋根材同士の連結構造の図示を省略している。
【００２０】
また、折板屋根３０の裏側には、正面視で折板屋根３０と略同形状の折板形状をなす、ボルト体３５を屋根上の突設するための複数の支持金具３８が取り付けられている。
【００２１】
本実施形態では、折板屋根３０の複数の山部３１（頂部３１ａ）に架設、固定された取付具２０、２０、・・・が平行に複数並設されており、それらの取付具２０、２０、・・・を介して、遮熱カバー１０が谷部３２の形成方向に沿って配設されるようになっている。
【００２２】
取付具２０は、金属または合成樹脂等より製されており、折板屋根３０の山部３１の頂部３１ａに被せられる取付固定部２１と、隣接する山部３１、３１間の谷部３２の上方に配せられる遮熱カバー固定部２２とが交互に形成された凹凸帯状板材よりなる。つまり、遮熱カバー固定部２２は、折板屋根３０の谷部３２の上方に嵌入され、谷底３２ａから所定の間隔を隔てた高さ位置に張設される。なお、図例の遮熱カバー固定部２２は、谷部空間３２ｂの上部で、頂部３１ａの高さ位置よりもやや下方の位置に配されている。
【００２３】
取付具２０は、その取付固定部２１が、図１、図２に示すように折板屋根３０の山部３１において、下方より突出したボルト体３５と、ナット体３６との螺着により固定されている。このナット体３６は、山座と一体に形成されており、山座の内部空間には屋根のボルト挿通孔（不図示）からの水の浸入を防止するための防水パッキン（不図示）が配されている。
【００２４】
また、取付具２０の取付固定部２１の中央には、ボルト体３５を挿通させるボルト挿通孔２１ａが形成されている。
【００２５】
なお、取付固定部２１は、図１に示すように、取付固定部２１が被せられるすべての山部３１において固定されることが望ましい。そのため、折板屋根材同士が連結する山部３１のみならず、取付固定部２１を被せるすべての山部３１にボルト体３５を突設させることが望ましい。
【００２６】
この取付具２０の折板屋根３０への取り付けは、図２に示すように、予め山部３１の下方よりボルト体３５を取り付けて屋根上に突出させておき、その上方から取付具２０を被せてボルト体３５の先端をボルト挿通孔２１ａより突出させ、ナット体３６で固定するようにすればよい。
【００２７】
このような取付具２０は、図１に示すように、間隔を空けて平行に並設される。この間隔は等間隔とすることが望ましく、配設する遮熱カバー１０の全長に合わせて配設すればよい。
【００２８】
遮熱カバー１０は、折板屋根３０の谷部３２の形成方向に沿って配設することが可能な長方形状の板材で構成されており、その板幅は遮熱カバー固定部２２の長さ寸法よりやや小とされる。また、本実施形態の図例の遮熱カバー１０は、図１に示すように、隣り合う３つの取付具２０、２０、２０に架設されるようになっている。
【００２９】
遮熱カバー１０は、図３（ａ）、（ｂ）に示すように、その幅方向の両端部１３、１３の下面１２側に長手方向の全長にわたる脚部１４、１４を有し、その脚部１４、１４間には長手方向の全長にわたる複数の凸条１５、１５、・・・が形成されている。また、遮熱カバー１０は断面視扁平山型であり、その上面１１中央に尖端部１６が形成され、尖端部１６から幅方向の両端部１３、１３に向けて降下傾斜している。
【００３０】
この遮熱カバー１０は、図３（ｂ）に示すように、鉄板等の金属製の芯板材１０ａに合成樹脂材１０ｂを被覆して形成されている。たとえば、２色混合の押出成形で遮熱カバー１０を形成すればよい。押出成形によれば、脚部１４、１４や凸条１５、１５、・・・も簡単に形成することができる。
【００３１】
また、遮熱カバー１０の芯板材１０ａが金属製であるため所定の強度を保持でき、その芯板材１０ａに合成樹脂材１０ｂを被覆しているため、芯板材１０ａの錆の発生を防止でき、遮熱カバー１０の劣化を遅らせることができる。また、金属製の芯板材１０ａが合成樹脂材１０ｂの熱伸縮を抑えることもできる。
【００３２】
なお後述するように、本実施形態の遮熱カバーの取付構造は設置した遮熱カバー１０の下方空間に空気層１８を形成して断熱を図る構成であるため、遮熱カバー１０自体の素材は限定されない。
【００３３】
このような遮熱カバー１０は、複数（図例では３つ）の取付具２０、２０、２０の遮熱カバー固定部２２、２２、２２の上面に脚部１４、１４の下端が当接して載置され、中央部がボルト２５、ナット２６で固定される構造となっている。遮熱カバー１０には取付具２０、２０間の間隔に合わせて取付孔１７を開けておき、予め取付具２０の下方より突出させたボルト２５に取付孔１７を合わせて遮熱カバー１０を載置し、ナット２６で固定するようにすればよい。なお、作業効率を考慮して、遮熱カバー１０の長手方向の両端２箇所でボルト止めするようにしてもよい（中央の取付具２０については下方からの支持のみ）。
【００３４】
遮熱カバー１０、１０は、以上のようにして、折板屋根３０の複数の谷部３２、３２を塞ぐように配設され、山部３１、３１の頂部３１ａ、３１ａが露出、突出した状態となる（図１参照）。
【００３５】
このように、折板屋根３０の上面のうち山部３１の頂部３１ａを除く部分が遮熱カバー１０で覆われるため、遮熱効果が奏せられる。また、谷部３２では遮熱カバー１０の下方の谷底３２ａまでの空間が空気層１８として形成されるので、さらなる遮熱効果を期待できる。
【００３６】
遮熱効果をさらに高めるために、遮熱カバー１０の上面にアルミ遮熱シートを貼り付けてもよいし、断熱材を内装した遮熱カバーを用いてもよい。
【００３７】
また、遮熱カバー１０が硬質の板材で製され、かつ取付具２０で支持されているため、雪の重みや強い風にも耐えられ、降雪地域や強風地域でも利用できる。特に、本実施形態のように、遮熱カバー１０の下面に長手方向に沿った凸条１５、１５、１５を形成しておけば強度が増し、自重や積雪による撓み、変形、損傷を防止できる。このような凸条１５は遮熱カバー１０の上面１１に設けてもよい。
【００３８】
なお、本実施形態では遮熱カバー１０は３本の取付具２０、２０、２０で支持されているが、遮熱カバー１０の強度に応じて、両端の２箇所で支持される構成としてもよい。
【００３９】
また、遮熱カバー１０の上面１１が両隣の山部３１、３１に向けて傾斜しているので、雨水を遮熱カバー１０の上面に溜めることなく幅方向の両端部１３、１３側へと流し、下方へと落下させることができる。
【００４０】
また、遮熱カバー１０の幅方向の端部１３、１３と、屋根の斜面との間には隙間が形成されているので、下方の空気層１８の空気循環を行うことができる。
【００４１】
さらに、取付具２０および遮熱カバー１０のいずれもボルト止めにて固定できる取付構造であるため、施工が簡単に行え、低コストで施工することができる。
【００４２】
また、遮熱カバー１０の固定はボルト２５、ナット２６によらず他の固定手段を用いてもよい。たとえば、取付具２０の遮熱カバー固定部２２の上面に粘着剤を設けて、遮熱カバー１０を貼着するようにしてもよい。多数の取付具２０、２０、・・・に架け渡す必要のある長尺状の遮熱カバー１０を配設する場合には、このような粘着剤による固着手段を好適に利用できる。なお、粘着剤には剥離紙を付着させておき、遮熱カバー１０を取り付ける際に剥離紙を外すようにすれば効率的な施工が行える。また、粘着剤による固定手段を用いる場合、遮熱カバー１０をより強固に固着させるために、下面を平坦に形成した遮熱カバー１０を用いることが望ましい。
【符号の説明】
【００４３】
１０        遮熱カバー
１０ａ      芯板材
１０ｂ      合成樹脂材
１１        上面
１２        下面
１３        幅方向の端部
１４        脚部
１５        凸条
１６        尖端部
１７        取付孔
１８        空気層
２０        取付具
２１        取付固定部
２１ａ      ボルト挿通孔
２２        遮熱カバー固定部
２５        ボルト
２６        ナット
３０        折板屋根（波形屋根）
３１        山部
３２        谷部
３２ａ      谷底
３２ｂ      谷部空間
３５        ボルト体
３６        ナット体
３８        支持金具
【図１】
2014084646.tif 000003
【図２】
2014084646.tif 000004
【図３】
2014084646.tif 000005